Podtech/llm-jp-corpus-v4-ja_patent huggingface dataset:
(57)【要約】      （修正有）【課題】流体の流れ方向に影響されずに、減圧制御、流量制御を行うことができるバタフライ弁を提供する。【解決手段】流路の一部となる円筒状の弁箱１１と、弁箱の軸線に直交する方向に配置された弁棒と、弁棒を回動中心として回動する円盤状の弁体１３とを備えたバタフライ弁において、弁体１３は、弁棒の外径寸法より小さな厚さ寸法の平板状に形成された弁体本体部２１と、弁体本体部２１の中央部直径方向に設けられた弁棒挿通用筒状部２２とを備えるとともに、弁棒挿通用筒状部２２の外面から弁体本体部２１の外面に至る弁体外面を双曲面２４で形成する。【選択図】図１
2015102108.tif 000002
【特許請求の範囲】
【請求項１】
流路の一部となる円筒状の弁箱と、該弁箱の軸線に直交する方向に配置された弁棒と、該弁棒を回動中心として回動する円盤状の弁体とを備えたバタフライ弁において、前記弁体は、前記弁棒の外径寸法より小さな厚さ寸法の平板状に形成された弁体本体部と、該弁体本体部の中央部直径方向に設けられた弁棒挿通用筒状部とを備えるとともに、前記弁棒挿通用筒状部の外面から前記弁体本体部の外面に至る弁体外面を双曲面で形成したことを特徴とするバタフライ弁。 
【発明の詳細な説明】
【技術分野】
【０００１】
本発明は、バタフライ弁に関し、詳しくは、弁箱内を横切るように配置した弁体を弁棒で回動させることによって流路を開閉するバタフライ弁に関する。
【背景技術】
【０００２】
バタフライ弁は、流路の一部となる円筒状の弁箱と、該弁箱の軸線に直交する方向に配置された弁棒と、該弁棒を回動中心として回動する円盤状の弁体とを備えており、閉弁時には、弁体が弁箱内を横切る状態となる。従来のバタフライ弁における弁体は、いわゆるレンズ型弁体あるいは複数の補強リブを有する平板型弁体が多く用いられており、弁体におけるオリフィス側の下流部分やノズル側の上流部分などにキャビテーション抑制用の部材を設けたり、加工を施したりしていた（例えば、特許文献１参照。）。
【先行技術文献】
【特許文献】
【０００３】
【特許文献１】特開２０１３−１１９８６７号公報
【発明の概要】
【発明が解決しようとする課題】
【０００４】
したがって、従来のバタフライ弁は、弁体の構造上、上流側と下流側とが決まってしまうので、管路網などの連絡管や、親子バタフライ弁などの管路充水用として用いる場合、流体の流れ方向によって性能が大きく異なり、弁の設置方向に制約を受けることが多い。
【０００５】
そこで本発明は、流体の流れ方向に影響されずに、減圧制御、流量制御を行うことができるバタフライ弁を提供することを目的としている。
【課題を解決するための手段】
【０００６】
上記目的を達成するため、本発明のバタフライ弁は、流路の一部となる円筒状の弁箱と、該弁箱の軸線に直交する方向に配置された弁棒と、該弁棒を回動中心として回動する円盤状の弁体とを備えたバタフライ弁において、前記弁体は、前記弁棒の外径寸法より小さな厚さ寸法の平板状に形成された弁体本体部と、該弁体本体部の中央部直径方向に設けられた弁棒挿通用筒状部とを備えるとともに、前記弁棒挿通用筒状部の外面から前記弁体本体部の外面に至る弁体外面を双曲面で形成したことを特徴としている。
【発明の効果】
【０００７】
本発明のバタフライ弁によれば、弁体外面の要部を双曲面で形成しているので、弁体の半月部の図心に最大主応力を集中させることができ、弁体の応力分布を均一化することができる。これにより、弁体の薄肉化が図れ、軽量化及び製造コストの削減を図ることができる。また、弁体の表面が双曲面であることから、弁が途中開度のときに流体の流れが分散され、弁体の下流側に発生する乱流を拡散させることができ、下流側における渦の成長を抑制することができる。
【図面の簡単な説明】
【０００８】
【図１】本発明のバタフライ弁の一形態例を示す正面図である。
【図２】全閉状態としたバタフライ弁の断面平面図である。
【図３】半開状態としたバタフライ弁の断面平面図である。
【図４】半開状態としたバタフライ弁の弁体の状態を示す斜視図である。
【発明を実施するための形態】
【０００９】
本形態例に示すバタフライ弁は、流路の一部となる円筒状の弁箱１１と、該弁箱１１の軸線に直交する方向に配置された弁棒１２と、該弁棒１２を回動中心として回動する円盤状の弁体１３とを備えており、弁棒１２の下端は、弁箱１１の下部を回動可能に貫通して止着部材１４によって保持されており、弁棒１２の上端は、弁箱１１の上部を回動可能に貫通して弁棒カバー１２ａ内を上方に延出し、開閉器１５に連結されている。また、弁箱１１の両端外周には、前後の配管に接続するためのフランジ１６がそれぞれ設けられており、弁箱１１の内周には、円筒状のメタルシート１７が装着されている。
【００１０】
前記弁体１３は、前記弁棒１２の外径寸法より小さな厚さ寸法の平板状に形成された弁体本体部２１と、該弁体本体部２１の中央部直径方向に設けられた弁棒挿通用筒状部２２とを備えており、弁棒挿通用筒状部２２の上下両端部には、弁棒挿通用筒状部２２の内部に挿通した弁棒１２と弁体１３とを固定するためのリーマボルトを取り付けるリーマボルト取付部２３が設けられている。
【００１１】
弁棒挿通用筒状部２２の外面は、弁体本体部２１の外面より突出した状態となっており、リーマボルト取付部２３の近傍を除く弁棒挿通用筒状部２２の突出した外面部分から弁体本体部２１の平面状の外面に至る弁体外面は、弁棒１２に直交する断面において、外面側が凹となる双曲面２４で形成され、双曲面２４の両端は、接線方向に滑らかに繋がるように、弁棒挿通用筒状部２２の外面及び弁体本体部２１の平面部外面に連続している。
【００１２】
このように、弁体１３の外面に双曲面２４を形成することにより、弁体１３の半月部の図心Ｃの部分に最大主応力を集中させて応力分布を均一にすることができるので、弁体１３の薄肉化による軽量化を図ることができる。また、弁体表面が双曲面であることから、弁体１３が途中開度の場合でも、弁体１３の形状によって流体の流れが効果的に分散し、従来のレンズ型や平板型の弁体に比べて、弁体１３の下流側に発生する乱流が拡散され、より大きな絞りと、弁体下流側に発生する渦との相互作用により、渦の相互干渉によって渦が打ち消し合い、渦の成長を抑制することができる。
【００１３】
さらに、弁箱１１内を通過する流体流れを弁体１３によって剪断する状態になるので、流体を下流側に効率よく拡散させることができる。これにより、下流域に発生する乱流の密度が均一になり、エントロピーの増大を抑制することができ、乱流速度分布の均一性の復帰も早めることができる。さらに、弁体１３が対称形であることから、流体の流れ方向によって制御性能が影響されることもなく、弁の設置方向に制約を受けることがなくなる。
【符号の説明】
【００１４】
１１…弁箱、１２…弁棒、１２ａ…弁棒カバー、１３…弁体、１４…止着部材、１５…開閉器、１６…フランジ、１７…メタルシート、２１…弁体本体部、２２…弁棒挿通用筒状部、２３…リーマボルト取付部、２４…双曲面、Ｃ…図心 
【図１】
2015102108.tif 000003
【図２】
2015102108.tif 000004
【図３】
2015102108.tif 000005
【図４】
2015102108.tif 000006
(57)【要約】【課題】汚染された水の処理方法。【解決手段】トリチウム等を含有する汚染水中に初期段階で微細粒子（ベントナイト希土類・活性炭・ゼオライト等）と凝集性能を持つ鉄系調合型凝集剤とを高密度凝集して汚染水に注入し、長時間攪拌を行う。この方法は回分処理（バッチ方式）または半回分処理による接触攪拌時間を初期処理に設ける事が事後の処理システムの負荷軽減や大量処理を可能とする。特に重水類のなかでトリチウムは残存しやすいので、気液溶解装置で高濃度酸素のナノバブルを併用または、後段処理水に注入することによりトリチウムを微細混入拡散する一連の放射線汚染水の処理方法。【選択図】なし【特許請求の範囲】
【請求項１】
トリチウム等の放射性物質を含有する汚染水に高濃度酸素水／ナノバブルを吹き込み処理することによって、タンクで貯留されている汚染水中に含有されているトリチウム等を低減させることによって外部に放水することができる、トリチウム等を含有する汚染水の処理方法である。
【発明の詳細な説明】
【技術分野】
【０００１】
本発明は、トリチウム等の放射性物質を含有する汚染水の処理方法に関する。
【背景技術】
【０００２】
我が国において、地震・津波による原子力発電所の崩壊により、放射線物質を含有した汚染された水が大量に発生し、特に処理はされているが残存したトリチウムを含有した処理水がタンクに貯蔵されているのが現状である。
【発明の概要】
【発明が解決しようとする課題】
【０００３】
そこで発明者は、これら汚染された水の処理方法について種々研究を重ねて本発明を完成させるに至った。
【課題を解決するための手段】
【０００４】
すなわち、本発明は、トリチウム等の放射性物質を含有する汚染水中に初期段階で微細粒子（ベントナイト希土類・活性炭・ゼオライト等）と凝集性能を持つ鉄系調合型凝集剤とを高密度凝集して汚染水に注入し、長時間攪拌を行う。この方法は回分処理（バッチ方式）または半回分処理による接触攪拌時間を初期処理に設ける事が事後の処理ステムの負荷軽減や大量処理を可能とする。特に重水類のなかでトリチウムは残存しやすいので、気液溶解装置で高濃度酸素のナノバブルを併用または、後段処理水に注入することによりトリチウムを微細混入拡散する一連の放射線汚染水の処理方法である。
【０００５】
更に放射線汚染水の安全性を図る対策として、例えば港湾内に放流する場合には、接触付着型の透水性フェンスを海域に多重展張し、放流水に鉄系調合型凝集剤と固体粒子触媒を併用して持続的にフェンスの吸着効果を付加することができ、貝類などの生物浄化が期待できる。
【発明の効果】
【０００６】
本発明によれば、高濃度酸素水／ナノバブルを随所に用いて、現在タンクで貯留されている処理水中に含有されているトリチウムを低減して、外部に放流することができ従来のタンク貯留が削減又は不要と成るので、貯留タンクを多数使用して高濃度酸素を注入してトリチウムの処理を行うことができる。
さらに初期段階で汚染水を大量に回分処理をおこなう事ができる。
【発明を実施するための形態】
【０００７】
本発明は、トリチウム等の汚染水の処理施設又は既存のシステムの初期・中段・後段等の随所に高濃度酸素水を使用し、放射線物質のレベル低減させることによって除染する手段である。
本装置は、陸上に設置する「酸素供給設備」と水中に設置する「酸素供給装置」から構成されている。大気中の酸素を集めて高濃度化した後に、水中の気液溶解装置に供給し、水中の水圧と水温に応じて効率良く、放射線汚染水並びにトリチウム含有水に高酸素水を水中に溶解し、成層構造を保ちつつ水平方向へ広く拡散することができる。（深層酸素供給装置を用いたダム・湖沼深層水の酸素供給技術−水環境学会誌引用）
放射線類の減衰期は長期間を要するトリチウムは１２年と謂われている。
各種の処理報告がなされているが、高酸素を水中に吹き込むとナノバブルと言われる気液溶解水が周辺水に拡散し、物理・電気・化学的などの酸化還元作用による多機能効果が得られる。
これら一連の処理は、放射線汚染水の処理が確立されていない現在、世界に先駆けた先進技術として、我が国が発信できる。
(57)【要約】      （修正有）【課題】湯たんぽの湯を、顔を洗ったりできる、他にも洗いものができたりする蛇口を提供する。【解決手段】湯たんぽについているふたを取り外し、左に９０度、右にも９０度どちらでも動かせるレバー３の付いた蛇口４を、湯たんぽのふたがあった部分に取り付ける。レバー３を左右どちらでもよいが、ひねることにより湯たんぽの湯を出し、顔を洗ったり、歯磨きしたり、あるいは洗いもの、掃除等に用いる。これにより湯たんぽの湯をそのまま取り出すときに、勢いよく出てしまうことが避けられる。【選択図】図２
2015081499.tif 000002
【特許請求の範囲】
【請求項１】
湯たんぽの取り換えるふたに  蛇口を設け、蛇口を取り換えて使う湯たんぽ。
【発明の詳細な説明】
【技術分野】
【０００１】本発明は、夜ねる時に使用する、湯たんぽに関するものである。
【背景技術】
【０００２】従来、次の日に、湯を捨てる人もいれば、沸かしなおして次の日も湯たんぽとして、使う人もいたとおもいます。
【発明の概要】
【発明が解決しようとする課題】
【０００３】朝になって、冬は寒いので、湯たんぽの湯はぬるくて、ちょうど朝の顔洗ったり、歯磨きの時に、とってもいいが、立ててふたをはずすと、湯が勢いよく出てしまって、あっという間になくなって、しまう。
本発明は、以上の問題点を解決するためになされたものである。
【課題を解決するための手段】
【０００４】湯たんぽの、ふたと同じサイズで、蛇口を設け、蛇口にはレバーを設け、取り換えれるようにする
以上の構成によりなる湯たんぽ。
【発明の効果】
【０００５】従来、朝の顔洗ったり、歯磨きの時に使ったりする事が、出来なかったが蛇口を、取り換えて使うことによって少しずつ出て朝顔を洗うのに、ちょうどいいぬるま湯で、洗える。
本発明は、ボイラーなどは湯に変わるのに、水道の水をだいぶ流さないと、湯に変わらないので、水の節約にもなる。
【図面の簡単な説明】
【０００６】
【図１】本発明の湯たんぽのふたを外した斜視図
【図２】本発明の斜視図
【発明を実施するための形態】
【０００７】以下、本発明の実施の形態を説明する。
湯たんぽ（１）のふた（２）を取りはずしレバー（３）の付いた蛇口（４）を取り付け右に９０度、左に９０度どちらでも動かせるレバー（３）を設ける。
本発明は以上のような構造である。
本発明を使用するときは、湯たんぽ（１）についているふた（２）を、取り外し、レバー（３）の付いた蛇口（４）を、取り付け、
左右どちらでもよいが、ひねり湯たんぽ（１）の湯を出し、顔を洗ったり、歯をみがいたりできる。
【符号の説明】
【０００９】１湯たんぽ、２ふた、３レバー、４蛇口
【図１】
2015081499.tif 000003
【図２】
2015081499.tif 000004
(57)【要約】【課題】下着として、用いる、パンツの前面の、幅１５Ｃｍから３５Ｃｍ、の範囲の中で、左右、対象となるように、２本のカットを入れる小便をするときに、ズボンのファースナーをあけるとすぐ指先が股間に届く、カットいれパンツを提供する。【解決手段】下着として用いる、パンツに、１５Ｃｍから３５Ｃｍ範囲の中でのいずれかの間に、左右、同じ幅で、カットをいれる。【選択図】図１
2015081405.tif 000002
【特許請求の範囲】
【請求項１】
下着として用いるパンツの前面の、幅１５Ｃｍから３５Ｃｍの範囲の中でいずれかの寸法で、左右対称に、なるところでカットを入れたカットいれパンツ。
【発明の詳細な説明】
【技術分野】
【０００１】本発明は、下着として用いるパンツの前面に幅１５Ｃｍから３５Ｃｍの範囲の中で、いずれかの寸法で左右対象となるように、カットを股の付け根から上に１０Ｃｍほど、切り込む、そのことにより、パンツをはくと山型に切ったようになる。
【背景技術】
【０００２】従来小便をするときには、パンツの中心の穴から出すか、パンツの両方をめくりあげてしていた。また気温がさがってくると、スパッツをはくので、よけいに、大変でした。
【発明の開示】
【発明が解決しようとする課題】
【０００３】パンツの中心の穴から出したり、パンツの裾をめくりあげたり、わずらわしかった、本発明は以上の問題をかいけつしようと、するものである。
【課題を解決するための手段】
【０００４】下着として用いる、パンツの前面の１５Ｃｍから３５Ｃｍまでの範囲のなかで、、いずれかの寸法で、左右対象となるように、カットを入れる。
【発明の効果】
【０００５】本発明は、下着として用いるパンツの１５Ｃｍから３５Ｃｍまでの範囲のなかで左右対象の２本のカットを、股下から１０Ｃｍ上の高さまで、カットを入れるだけである
ズボンのファスナーを下げ小便をするときは、指先を太ももの下部に入れるだけで、しぜんに指先を上に上げるだけで股間に届く。又、カットを入れるだけなので、縫製も簡単である。
【発明を実施するための最良の形態】
【０００６】下着として用いる、パンツの前面に１５Ｃｍから３５Ｃｍの範囲の中で左右対象に、２本のカットをいれる。
【図面の簡単な説明】
【０００７】
【図１】パンツの斜静図
【符号の説明】１    パンツ
【図１】
2015081405.tif 000003
【手続補正書】
【提出日】平成26年4月11日(2014.4.11)
【手続補正１】
【補正対象書類名】特許請求の範囲
【補正対象項目名】請求項２
【補正方法】追加
【補正の内容】
【請求項２】
下着として用いるパンツの、前面の、幅１５Ｃｍから３５Ｃｍの範囲の中でいずれかの寸法で左右対象で、カットを入れたカットパンツ。
登録実用新案第１８４５１７号公報と違うところは、スリットが
１    第８４５１７号公報は重なっており本発明は、重なり合っていないこと。
２    第８４５１７号公報は裾が閉じていること奔発明は、パンツの、裾が閉じていないこと
３    第８４，５１７号公報は股間から、スリットが、下部は５Ｃｍ、それから、１０Ｃｍのところで、閉じてあるように見える。本発明は、下部が広がっている。又、上部は、股間から１０Ｃｍまでカットしている。以上のことにより第８４５１７号公報とは、違っている。
【手続補正書】
【提出日】平成26年6月5日(2014.6.5)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
下着として用いるパンツの前面の、幅１５Ｃｍ３５Ｃｍの範囲の中でいずれかの寸法で左右対象に、なるところでカットを入れたカットいれパンツ。
実願平−１３８３０号との違いは
１      パンツの下部がひろがっている。
２      小便をするところが、折り重なっているが，本発明は開いている
３      本発明は、スリットが股間から１０Ｃｍほど上にスリットしてある。
【手続補正書】
【提出日】平成26年9月29日(2014.9.29)
【手続補正１】
【補正対象書類名】特許請求の範囲
【補正対象項目名】請求項１
【補正方法】変更
【補正の内容】
【請求項１】
下着として用いるパンツの、前面の、幅１５ｓｍから３５ｓｍの範囲の中でいずれかの寸法で左右対称になるところでカットを入れた、カットいれパンツである。
【手続補正２】
【補正対象書類名】明細書
【補正対象項目名】０００１
【補正方法】変更
【補正の内容】
【０００１】本発明は、下着として用いるパンツの前面に１５ｓｍから３５ｓｍまでの範囲の中で、いずれかの寸法で、またの付け根から１０ｓｍほどカットしてある、カットいれパンツである。
(57)【要約】【課題】通常の帽子では、布で頭を覆ってしまうと直射日光が頭に当たることを防ぐことは出来ても、風や空気の流れまでもさえぎってしまう。また、メッシュ状の帽子では直射日光は、網目を通して差し込んでくる。直射日光から頭を守り、頭部に風を取り入れることは不可能だった。【解決手段】頭を覆っている布の部分を抜き取り、どの方向からも風が入るようにした。さらにその上に日よけの傘を載せた。以上の構成よりなる、風を取り入れることの出来る帽子。【選択図】図１
2015081404.tif 000002
【特許請求の範囲】
【請求項１】
頭部を覆っている布を取り去り、さらに傘をすきまを設けながら載せた、風を取り入れることができる帽子。
【発明の詳細な説明】
【技術分野】
【０００１】  本発明は、屋外で活動するときに直射日光から頭を守り、かつ風を取り入れることの出来ることが出来る帽子に関するものである。
【背景技術】
【０００２】  従来、帽子は布で頭を覆うことで直射日光が当たるのを防ぐ役割をしていた。
また、頭髪部分が蒸れないように、布の部分がメッシュ状になっているものもある。
【先行技術文献】
【特許文献】
【０００３】
【特許文献１】特開２０１２−６２５９７号公報
【発明の概要】
【発明が解決しようとする課題】
【０００４】  通常の帽子のように布で頭を覆ってしまうと、直射日光が頭に当たることを防ぐことは出来ても、風や空気の流れまでもさえぎってしまう。また、メッシュ状の帽子では直射日光は、綱目を通して頭に差し込んでくる。
直射日光から頭を守り、頭部に風を取り入れることは不可能だった。
本発明は、以上の問題点を解決するためになされたものである。
【課題を解決するための手段】
【０００５】  頭を覆っている布の部分を抜き取り、どの方向からも風が入るようにした。さらにその上に日よけの傘を載せた。
以上の構成よりなる、風を取り入れることの出来る帽子。
【発明の効果】
【０００６】  直射日光をさえぎりながら、色々な方向からの風を頭部に取り入れることができる。
本発明は、そのことによって頭部にこもる熱を逃がすことができる。
【図面の簡単な説明】
【０００７】
【図１】  本発明の斜視図
【発明を実施するための形態】
【０００８】以下、本発明の実施の形態を説明する。
（イ）通常の帽子の頭部を覆っている布を取り去り、傘を上に載せる。
（ロ）そのときに、傘のてっぺん部の内側と帽子の頭頂部との間に、支柱を立て、すきまを設ける。
（ハ）さらに傘を安定させるために、帽子の縁から傘の角をつなぐ役目のささえを設ける。
本発明は以上のような構造である。
本発明は通常の帽子と同じように着用する。
【符号の説明】
【０００９】１傘、２支柱、３ささえ
【図１】
2015081404.tif 000003
(57)【要約】【課題】  閉鎖動作に伴って扉の片下がりを解消し、キャビネットの見栄えをよくする。【解決手段】  電気機器を収納する箱体２の前面に開口部３を形成し、開口部３の周囲に水切り部５を設ける。箱体２の一側部に蝶番７により扉４を垂直軸線Ａの周りで回動可能に支持する。開口部３の上側に位置する水切り部５に箱体側係合部５ａを上向きに折り曲げる。箱体側係合部５ａと対応する高さの扉４に扉側係合部８ａを箱体２側に向かって上り勾配となる斜状に形成する。扉４の閉鎖方向の回動に伴い、扉側係合部８ａを箱体側係合部５ａに接触させ、扉側係合部８ａの傾斜面作用によって扉４の肩下がりを解消する。【選択図】  図１
2015081479.tif 000002
【特許請求の範囲】
【請求項１】
電気機器を収納する箱体の一側部に扉を垂直軸線の周りで回動可能に支持し、箱体と扉の両方に扉の閉鎖方向の回動に伴って互いに接触する係合部を水平方向へ延びるように設け、扉側の係合部を箱体側に向かって上り勾配となる斜状に形成したことを特徴とするキャビネット。
【請求項２】
前記箱体が開口部を包囲する水切り部を備え、扉側の係合部が水切り部に上方から被さるように扉の上辺に折り曲げられ、箱体側の係合部が扉側の係合部の下面に接触するように水切り部に上向きに折り曲げられている請求項１記載のキャビネット。
【発明の詳細な説明】
【技術分野】
【０００１】
本発明は、扉の片下がり防止構造を備えたキャビネットに関する。
【背景技術】
【０００２】
一般に、電気機器収納用のキャビネットでは、図６に示すように、扉５１が蝶番５２によって箱体５３の一側部に枢着されているが、自重により扉５１が傾き、蝶番５２と反対側の部分が下がり、扉５１を滑らかに開閉できなくなったり、キャビネット５０の外観を悪くしたりする問題があった。そこで、特許文献１では、図７に示すように、蝶番と反対側において、扉５１の内側折曲部５４に切欠５５を形成し、箱体５３の掛金取付ボルト５６に切欠５５を嵌合し、扉５１の片下がりを防止する構造５７が提案されている。
【先行技術文献】
【特許文献】
【０００３】
【特許文献１】特開２０１１−２２６０９４号公報
【発明の概要】
【発明が解決しようとする課題】
【０００４】
ところが、従来の片下がり防止構造５７によると、比較的小さな切欠５５とボルト５６の嵌合によって扉５１の傾きを補正しているので、扉５１が大きく傾いているような場合などに、切欠５５がボルト５６に正しく嵌らず、この状態を見逃してしまたり、扉５１の施錠に支障を来したりする可能性があった。
【０００５】
そこで、本発明の目的は、扉の閉鎖動作に伴って片下がりをより確実に防止できるキャビネットを提供することにある。
【課題を解決するための手段】
【０００６】
上記課題を解決するために、本発明は次のようなキャビネットを提供する。
（１）電気機器を収納する箱体の一側部に扉を垂直軸線の周りで回動可能に支持し、箱体と扉の両方に扉の閉鎖方向の回動に伴って互いに接触する係合部を水平方向へ延びるように設け、扉側の係合部を扉の閉鎖状態で箱体側に向かって上り勾配となる斜状に形成したことを特徴とするキャビネット。
【０００７】
（２）箱体が開口部を包囲する水切り部を備え、扉側の係合部が水切り部に上方から被さるように扉の上辺に折り曲げられ、箱体側の係合部が扉側の係合部の下面に接触するように水切り部に上向きに折り曲げられていることを特徴とする上記１に記載のキャビネット。
【発明の効果】
【０００８】
本発明のキャビネットによれば、扉側の係合部を箱体側に向かって上り勾配となる斜状に形成したので、扉の閉鎖動作に伴って扉の片下がりをスムーズに解消できるという効果がある。
【図面の簡単な説明】
【０００９】
【図１】本発明の一実施形態を示すキャビネットの斜視図である。
【図２】図１のキャビネットの開扉形態を示す正面図である。
【図３】図１のキャビネットの閉扉形態を示す正面図である。
【図４】図３のＩＶ−ＩＶ線に沿って扉の閉鎖動作を示す作用説明図である。
【図５】図４に続く閉鎖動作を示す作用説明図である。
【図６】従来のキャビネットを示す正面図である。
【図７】従来のキャビネットの片下がり防止構造を示す斜視図である。
【発明を実施するための形態】
【００１０】
以下、本発明の実施形態を図面に基づいて説明する。図１、図２に示すように、この実施形態のキャビネット１は、電気機器を収納する箱体２と、箱体２の開口部３を覆う扉４とを備えている。箱体２の前面には、水切り部５が開口部３を外側から包囲するように四角環状に形成されるとともに、水切り部５に上方から被さるように庇部６が突設されている。
【００１１】
扉４は、蝶番７により箱体２の一側部に垂直軸線Ａの周りで回動可能に支持され、開口部３を塞ぐ閉鎖位置と、開口部３を開く開放位置とに配置される。扉４の全周縁には折返し部８が箱体２側に折り曲げられ、折返し部８により水切り部５を外側から取り囲み、水切り部５で開口部３を包囲して、雨水を箱体２の内側に浸入させないようになっている。
【００１２】
図３、図４に示すように、開口部３の上側に位置する水切り部５には、箱体側係合部５ａが上向きに折り曲げられている。箱体側係合部５ａと対応する高さの折返し部８には、扉側係合部８ａが箱体２側に向かって上り勾配となる斜状に形成されている。箱体側係合部５ａおよび扉側係合部８ａは共に水平方向に延びるように設けられ、扉４が閉鎖方向へ回動されたときに、扉側係合部８ａが水切り部５に上方から被さり、箱体側係合部５ａが扉側係合部８ａの下面に接触するように構成されている。
【００１３】
上記構成のキャビネット１において、片下がりを生じている扉４（図２参照）を閉じると、図４（ａ）に示すように、回動途中で扉側係合部８ａが箱体側係合部５ａに接触する。接触当初には、接触点Ｐ１が扉側係合部８ａの比較的後側に位置し、図４（ｂ）に示すように、扉４の下端が正規位置よりも下がる（下方変位量＝Ｄ）。
【００１４】
図５（ａ）に示すように、扉４を更に回動すると、図５（ｂ）に示すように、接触点Ｐ２が扉側係合部８ａの比較的前側にシフトし、扉側係合部８ａの傾斜面作用によって扉４が持ち上げられ、その下端が正規位置に配置される（下方変位量＝０）。したがって、扉４の閉鎖動作に伴って扉４の片下がりをスムーズに解消し、キャビネット１の外観を見栄えよくすることができる。
【００１５】
なお、本発明は、上記実施形態に限定されるものではなく、例えば、扉側係合部８ａを箱体２側に向かって上り勾配に形成し、あわせて、箱体側係合部５ａを蝶番７に向かって下り勾配となる斜状に形成するなど、発明の趣旨を逸脱しない範囲で、各部の形状や構成を適宜に変更して実施することもできる。
【符号の説明】
【００１６】
１    キャビネット
２    箱体
３    開口部
４    扉
５    水切り部
５ａ    箱体側係合部
７    蝶番
８    折返し部
８ａ    扉側係合部
【図１】
2015081479.tif 000003
【図２】
2015081479.tif 000004
【図３】
2015081479.tif 000005
【図４】
2015081479.tif 000006
【図５】
2015081479.tif 000007
【図６】
2015081479.tif 000008
【図７】
2015081479.tif 000009
(57)【要約】【課題】作業時等に常時水分を補給出来るように、ベルトに掛ける事が出来る取っ手を設けたペットボトルを提供する。【解決手段】ペットボトルの片側にベルトに掛ける事が出来る取っ手を設けたペットボトルを特徴とする。【選択図】図１
2015081143.tif 000002
【特許請求の範囲】
【請求項１】
ベルトに掛ける事が出来る取っ手を設けたペットボトル。
【発明の詳細な説明】
【技術分野】
【０００１】この発明はベルトにかける事が出来る取っ手を設けたペットボトルに関するものである
【背景技術】
【０００２】従来、ペットボトルの両側は左右対称で、機能性は追求されていなかった。
【先行技術文献】
【特許文献】
【０００３】
【特許文献１】
【発明の概要】
【発明が解決しようとする課題】
【０００４】これまでのペットボトルには次のような欠点があった。
従来、ペットボトルはデザインと製造コストを重要視し、機能性は軽視されていた。
本発明は以上のような欠点を無くす為になされたものである。
【課題を解決するための手段】
【０００５】片側にベルトに掛ける事が出来る取っ手を設ける
本発明は、以上の構成よりなる取っ手付きペットボトルである
【発明の効果】
【０００６】（イ）ベルトに掛ける事により、長時間の労働中にも作業に支障をきたすことなく、こまめに水分を補給する事が出来る。
【図面の簡単な説明】
【０００７】
【図１】本発明の斜視図である。
【図２】本発明の正面図である。
【発明を実施するための形態】
【０００８】以下、本発明を実施するための形態について説明する。
ペットボトルの片側にベルトに掛ける事が出来る取っ手を設ける。
本発明は以上のような構造である。これを使用する時は、取っ手をベルトに掛ければよい。
【図１】
2015081143.tif 000003
【図２】
2015081143.tif 000004
(57)【要約】【課題】長期間にわたって構造を安定させて液漏れを防ぐことが可能な液体貯蔵タンクを提供する。【解決手段】複数の板材（鋼板１２）を接合して構成される液体貯蔵タンク１０において、底面及び側面を２重とすると共に、内壁３２、３２Ａ、３２Ｂと外壁３０、３０Ａ、３０Ｂを構造部材（３４、３４Ａ、３４Ｂ、４０）で一体的に結合する。ここで、前記構造部材を、トラス構造（トラス構造結合材３４、３４Ａ、３４Ｂ）、又は、ダイアフラム構造（ダイアフラム構造結合材４０）とすることができる。【選択図】図３
2015081112.tif 000002
【特許請求の範囲】
【請求項１】
複数の板材を接合して構成される液体貯蔵タンクにおいて、
底面及び側面が２重とされると共に、
内壁と外壁が構造部材で一体的に結合されていることを特徴とする液体貯蔵タンク。
【請求項２】
前記構造部材がトラス構造又はダイアフラム構造とされていることを特徴とする請求項１に記載の液体貯蔵タンク。
【発明の詳細な説明】
【技術分野】
【０００１】
本発明は、液体貯蔵タンクに係り、液体の漏洩を長期間にわたって防止することが可能な、堅牢な構造の液体貯蔵タンクに関する。
【背景技術】
【０００２】
液体を貯蔵するためのタンクとして、リング状に丸めた帯状鋼板を積層して構成したものが知られている。これは、例えば図１（Ａ）（正面図）、（Ｂ）（平面図）に例示する如く、複数の鋼板１２を、図２（Ａ）に示す如く、溶接（１８）や、図２（Ｂ）に示す如く、ボルト２０により接合部１４で接合して構成される外壁を有する。図において、１６はフランジ、２２は階段、２４は手すりである。
【０００３】
このような液体貯蔵タンク１０においては、長期保管、地震、地盤沈下などの外的要因、鋼材（１２）の腐食、ボルト２０の緩み、溶接部１８の割れ等の内的要因により、貯蔵された液体が接合部１４等から漏洩しないようにすることが重要である。
【０００４】
そこで、特許文献１のように、液体貯蔵タンク全体又は一部を２重構造とすることが行われている。
【先行技術文献】
【特許文献】
【０００５】
【特許文献１】特開２０００−５５７９５号公報
【発明の概要】
【発明が解決しようとする課題】
【０００６】
しかしながら、長期間にわたって構造を安定させて液漏れを防止することは困難であった。
【０００７】
本発明は、前記従来の問題を解決するべくなされたもので、長期間にわたって構造を安定させて液漏れを防ぐことが可能な液体貯蔵タンクを提供することを課題とする。
【課題を解決するための手段】
【０００８】
本発明は、複数の板材を接合して構成される液体貯蔵タンクにおいて、底面及び側面を２重とすると共に、内壁と外壁を構造部材で一体的に結合することにより、前記課題を解決したものである。
【０００９】
ここで、前記構造部材をトラス構造又はダイアフラム構造とすることができる。
【発明の効果】
【００１０】
本発明によれば、２重構造とした底面と側面の内壁と外壁を構造部材で効果的に結合し、単に外壁と内壁の間隔を一定に保持するだけでなく、外壁と内壁が一体化して外力に抵抗する構造としたので、長期間にわたり構造を安定させて液漏れを防ぐことができる。
【図面の簡単な説明】
【００１１】
【図１】従来の液体貯蔵タンクの一例を示す（Ａ）正面図及び（Ｂ）平面図
【図２】従来の液体貯蔵タンクの鋼板の接合構造の例を示す断面図
【図３】本発明に係る液体貯蔵タンクの第１実施形態を示す（Ａ）正面図及び（Ｂ）平面図
【図４】本発明に係る液体貯蔵タンクの第２実施形態を示す（Ａ）正面図及び（Ｂ）平面図
【発明を実施するための形態】
【００１２】
以下、図面を参照して、本発明の実施の形態について詳細に説明する。尚、本発明は以下の実施形態及び実施例に記載した内容により限定されるものではない。又、以下に記載した実施形態及び実施例における構成要件には、当業者が容易に想定できるもの、実質的に同一のもの、いわゆる均等の範囲のものが含まれる。更に、以下に記載した実施形態及び実施例で開示した構成要素は適宜組み合わせてもよいし、適宜選択して用いてもよい。
【００１３】
本発明の第１実施形態は、図３（Ａ）（正面図）及び（Ｂ）（平面図）に示す如く、複数の鋼板１２を接合して構成される液体貯蔵タンク１０において、底面及び側面を２重とすると共に、内壁３２と外壁３０を構造部材であるトラス構造結合材３４で一体的に結合したものである。
【００１４】
前記外壁３０の側面３０Ａと内壁３２の側面３２Ａ間のトラス構造結合材３４Ａは、例えば円周方向の８箇所に等間隔で上下方向に設けることができる。
【００１５】
又、前記外壁３０の底面３０Ｂと内壁３２の底面３２Ｂ間のトラス構造結合材３４Ｂは、例えば８つの放射方向に等間隔で設けることができる。
【００１６】
このようにして、タンクの底面及び側面を２重構造とすることで、内壁３２から漏水が発生しても、外壁３０により漏水を防止できる。
【００１７】
更に、内壁３２と外壁３０をトラス構造結合材３４で結合することで、壁断面を一体構造とし、壁面に発生する曲げ、せん断、軸力、膜力等の断面力に効率的に抵抗させることができる。
【００１８】
次に、図４を参照して、本発明の第２実施形態を説明する。
【００１９】
本実施形態は、第１実施形態のトラス構造結合材３４に代えて、構造部材として、縦方向に配置したダイアフラム構造結合材４０を設けたものである。
【００２０】
ここで、前記ダイアフラム構造結合材４０には、補剛材４２及び作業者が通れるマンホール４４を設けることができる。
【００２１】
なお、前記実施形態では、いずれも、板材として鋼板が用いられ、廃液を収容するようにされていたが、材質や収容対象は、これらに限定されない。
【符号の説明】
【００２２】
１０…液体貯蔵タンク
１２…鋼板
１４…接合部
１６…フランジ
１８…溶接部
２０…ボルト
３０、３０Ａ、３０Ｂ…外壁
３２、３２Ａ、３２Ｂ…内壁
３４、３４Ａ、３４Ｂ…トラス構造結合材
４０…ダイアフラム構造結合材
【図１】
2015081112.tif 000003
【図２】
2015081112.tif 000004
【図３】
2015081112.tif 000005
【図４】
2015081112.tif 000006
(57)【要約】【課題】長期間にわたって外部への液漏れを防止すると共に、構造を安定させることが可能な液体貯蔵タンクを提供する。【解決手段】複数の板材（鋼材１２）を接合して構成される液体貯蔵タンク１０において、接合部１４の外側に、液体の外部への漏洩を防止するためのカバー部材３０を設ける。ここで、前記カバー部材３０を、構造部材を兼ねる、例えば断面コの字状のチャンネル材とすることができる。【選択図】図３
2015081113.tif 000002
【特許請求の範囲】
【請求項１】
複数の板材を接合して構成される液体貯蔵タンクにおいて、
接合部の外側に、液体の外部への漏洩を防止するためのカバー部材が設けられていることを特徴とする液体貯蔵タンク。
【請求項２】
前記カバー部材が構造部材を兼ねることを特徴とする請求項１に記載の液体貯蔵タンク。
【発明の詳細な説明】
【技術分野】
【０００１】
本発明は、液体貯蔵タンクに係り、液体の漏洩を長期間にわたって防止することが可能な、堅牢な構造の液体貯蔵タンクに関する。
【背景技術】
【０００２】
液体を貯蔵するためのタンクとして、リング状に丸めた帯状鋼板を積層して構成したものが知られている。これは、例えば図１（Ａ）（正面図）、（Ｂ）（平面図）に例示する如く、複数の鋼板１２を、図２（Ａ）に示す如く、溶接（１８）や、図２（Ｂ）に示す如く、ボルト２０により接合部１４で接合して構成される外壁を有する。図において、１６はフランジ、２２は階段、２４は手すりである。
【０００３】
このような液体貯蔵タンク１０においては、長期保管、地震、地盤沈下などの外的要因、鋼材（１２）の腐食、ボルト２０の緩み、溶接部１８の割れ等の内的要因により、貯蔵された液体が接合部１４等から漏洩しないようにすることが重要である。
【０００４】
そこで、特許文献１のように、液体貯蔵タンク全体又は一部を２重構造とすることが行われている。又、液体の漏洩を防止するものではないが、特許文献２には、縦溶接線を隠す断面コの字状のボルト挿通孔付化粧材を設けることや、周方向溶接線に沿って目隠し兼用の断面コの字状のウインドガーダーを設けることが記載されている。
【先行技術文献】
【特許文献】
【０００５】
【特許文献１】特開２０００−５５７９５号公報
【特許文献２】特許第３８８４２３０号公報
【発明の概要】
【発明が解決しようとする課題】
【０００６】
しかしながら、長期間にわたって構造を安定させて液漏れを防止することは困難であった。特許文献２で用いられている化粧材にはボルト挿通孔が設けられており、ウインドガーダーも密閉構造ではないため、接合部から液漏れが発生した場合には外部への液漏れを防ぐことはできなかった。
【０００７】
本発明は、前記従来の問題を解決するべくなされたもので、長期間にわたって外部への液漏れを防止すると共に、構造を安定させることが可能な液体貯蔵タンクを提供することを課題とする。
【課題を解決するための手段】
【０００８】
本発明は、複数の板材を接合して構成される液体貯蔵タンクにおいて、接合部の外側に、液体の外部への漏洩を防止するためのカバー部材を設けることにより、前記課題を解決したものである。
【０００９】
ここで、前記カバー部材は構造部材を兼ねることができる。
【発明の効果】
【００１０】
本発明によれば、部材接合部に漏洩防止用カバーを設けることで、接合部から液漏れが発生しても、外部へ漏れるのを防止できる。更に、カバーが構造部材を兼ねているので、長期間にわたって構造を安定させることができる。
【図面の簡単な説明】
【００１１】
【図１】従来の液体貯蔵タンクの一例を示す（Ａ）正面図及び（Ｂ）平面図
【図２】従来の液体貯蔵タンクの鋼板の接合構造の例を示す断面図
【図３】本発明に係る液体貯蔵タンクの第１実施形態の（Ａ）全体を示す正面図及び（Ｂ）要部を示す拡大断面図
【図４】本発明に係る液体貯蔵タンクの第２実施形態の要部を示す拡大断面図
【発明を実施するための形態】
【００１２】
以下、図面を参照して、本発明の実施の形態について詳細に説明する。尚、本発明は以下の実施形態及び実施例に記載した内容により限定されるものではない。又、以下に記載した実施形態及び実施例における構成要件には、当業者が容易に想定できるもの、実質的に同一のもの、いわゆる均等の範囲のものが含まれる。更に、以下に記載した実施形態及び実施例で開示した構成要素は適宜組み合わせてもよいし、適宜選択して用いてもよい。
【００１３】
本発明の第１実施形態は、図３（Ａ）（全体を示す正面図）及び（Ｂ）（要部を示す拡大断面図）に示す如く、複数の鋼板１２を接合して構成される液体貯蔵タンク１０において、接合部１４の外側に液体の外部への漏洩を防止するための漏洩防止用カバー部材３０を設けて、例えば溶接により密封したものである。図において、３２は、溶接による接合部である。
【００１４】
前記漏洩防止用カバー部材３０は、例えば断面コの字状のチャンネル材とすることができる。
【００１５】
なお、前記漏洩防止用カバー部材３０内に漏れ出した液体は、例えば漏洩防止用カバー部材３０の下方に設けられた図示しないドレインによって回収したり、漏洩防止用カバー部材３０の一部（例えば上部）に雨水が入らないように工夫した通気口を設けて自然乾燥させたり、漏洩防止用カバー部材３０の下方にスポンジのような吸収剤を設けて吸収させることができる。
【００１６】
次に、図４を参照して、本発明の第２実施形態を説明する。
【００１７】
本実施形態は、本発明を、フランジ１６とボルト２０を用いて鋼板１２が接合された液体貯蔵タンク１０に適用したものである。
【００１８】
他の点は第１実施形態と同じであるので、説明は省略する。
【００１９】
なお、前記実施形態では、いずれも、板材として鋼板が用いられ、廃液を収容するようにされていたが、材質や収容対象は、これらに限定されない。
【符号の説明】
【００２０】
１０…液体貯蔵タンク
１２…鋼板
１４…接合部
１６…フランジ
１８、３２…溶接部
２０…ボルト
３０…漏洩防止用カバー部材
【図１】
2015081113.tif 000003
【図２】
2015081113.tif 000004
【図３】
2015081113.tif 000005
【図４】
2015081113.tif 000006
(57)【要約】【課題】エアノズルが噴射するエアを利用して連続用紙にテンションを与えるテンション装置を提供する。【解決手段】本発明に係るテンション装置１は，連続用紙３の上側と下側から連続用紙３を挟み込むようにエアを噴射する一対のエアノズル１０を，連続用紙３の左右それぞれに配置した装置で，一対のエアノズル１０が噴射するエアのエア圧によって発生する摩擦力を利用して連続用紙３にバックテンションを発生させる。また，本発明に係るテンション装置１によれば，一対のエアノズル１０の間を通過する連続用紙３には上下からエアが噴射されるため，このエアによって連続用紙３の表裏面にある異物を吹き飛ばし，連続用紙３の表裏面にある異物を除去できる。【選択図】図２
2015081158.tif 000002
【特許請求の範囲】
【請求項１】
連続用紙の上側と下側から連続用紙を挟み込むようにエアを噴射する一対のエアノズルを，連続用紙の左右それぞれに配置し，前記一対のエアノズルが噴射するエアの圧力による摩擦力を利用して連続用紙にバックテンションを与えるように構成したことを特徴とするテンション装置。
【発明の詳細な説明】
【技術分野】
【０００１】
本発明は，連続用紙にテンションを与えるテンション装置に関する発明である。
【背景技術】
【０００２】
インクジェットプリンタの印刷に用いる連続用紙の印刷面に異物（例えば，小さな紙片）があると印刷不良の原因になるため，エアを噴射するエアノズルをインクジェットプリンタに取り付け，印刷前の連続用紙の印刷面にある異物を除去することがある。
【０００３】
印刷前の連続用紙の印刷面にエアを噴射するエアノズルを取り付けることで，印刷前の連続用紙の印刷面にある異物を除去できるが，エアノズルが噴射するエアによって連続用紙が微動し，連続用紙が蛇行することがある。
【０００４】
連続用紙の蛇行を防止するためには，エアノズルを取り付ける箇所の連続用紙にテンションを与えるテンション装置を新たに設置すればよい。連続用紙にテンションを与えるテンション装置として，特許文献１のように，連続用紙の搬送に用いるロールの回転に抵抗を与える装置が知られているが，このようなテンション装置を既存のインクジェットプリンタに取り付けるには，インクジェットプリンタの大幅な改造が必要になる。
【０００５】
また，インクジェットプリンタを大幅に改造することなく，連続用紙にテンションを与えるテンション装置の機構として，特許文献２で開示されているテンションパッドのような機構も考えられるが，テンションパッドのような機構では，連続用紙に摩擦力を与えるパッドを連続用紙の上下から直接押し付けるため，連続用紙に傷が付いてしまう。
【先行技術文献】
【特許文献】
【０００６】
【特許文献１】特開平１−３２１２４４号公報
【特許文献２】特開２００７−２３８２７０号公報
【特許文献３】実開昭６３−１４５５１３号公報
【発明の概要】
【発明が解決しようとする課題】
【０００７】
連続用紙上の異物を除去するためにインクジェットプリンタに設置するエアノズルを利用して，連続用紙にテンションを与えることができれば，連続用紙上の異物を除去と同時に，連続用紙にテンションを与えることができるため，本発明は，エアノズルが噴射するエアを利用して連続用紙にテンションを与えるテンション装置を提供することを目的とする。
【課題を解決するための手段】
【０００８】
上述した課題を解決する本発明は，連続用紙の上側と下側から連続用紙を挟み込むようにエアを噴射する一対のエアノズルを連続用紙の左右それぞれに配置し，前記一対のエアノズルが噴射するエアの圧力による摩擦力を利用して連続用紙にテンションを与えるように構成したことを特徴とするテンション装置である。
【発明の効果】
【０００９】
本発明に係るテンション装置では，一対のエアノズルが噴射するエアの圧力によって連続用紙の左右には摩擦力が発生する。この摩擦力は，連続用紙を搬送する際の抵抗になるため，テンション装置を設置した箇所の連続用紙にテンションが発生することができるようになる。また，本発明に係るテンション装置によれば，一対のエアノズルの間を通過する連続用紙には上下からエアが噴射されるため，このエアによって連続用紙の表裏面にある異物を吹き飛ばし，連続用紙の表裏面にある異物を除去できる。
【図面の簡単な説明】
【００１０】
【図１】本実施形態に係るテンション装置の設置場所を説明する図。
【図２】本実施形態に係るテンション装置の構造を説明する図。
【発明を実施するための形態】
【００１１】
ここから，本発明の好適な実施形態を記載する。なお，以下の記載は本発明の範囲を束縛するものでなく，理解を助けるために記述するものである。
【００１２】
図１は，本実施形態に係るテンション装置１の設置場所を説明する図である。また，図２は，本実施形態に係るテンション装置１の構造を説明する図で，図２（ａ）は，本実施形態に係るテンション装置１の斜視図，図２（ｂ）は，本実施形態に係るテンション装置１を正面から見た図である。
【００１３】
本実施形態に係るテンション装置１は，インクジェットプリンタ２内の連続用紙３にテンションを与えるために，インクジェットプリンタ２に設置する装置である。図１で図示したインクジェットプリンタ２は，連続用紙３をインクジェットプリンタ２に供給する給紙部２０、複数のプリントヘッドを有する印刷部２１，印刷部２１で印刷した連続用紙３を乾燥する乾燥部２２，印刷後の連続用紙３を巻き取る排紙部２３を備え，図１において，テンション装置１は，インクジェットプリンタ２の給紙部２０と印刷部２１の間に設置されている。
【００１４】
図２（ａ）に図示したように，本実施形態に係るテンション装置１は，連続用紙３の上側と下側から連続用紙３を挟み込むようにエアを噴射する一対のエアノズル１０を，連続用紙３の左右それぞれに配置した装置で，図２では，一対のエアノズル１０それぞれにエアを供給するコンプレッサ１１を図示している。
【００１５】
図２（ｂ）に図示したように，本実施形態に係るテンション装置１では，一対のエアノズル１０の間を通過する連続用紙３の左右端は，一対のエアノズル１０が噴射するエアによって挟み込まれる格好になり，一対のエアノズル１０が噴射するエアの圧力による摩擦力が発生し，この摩擦力は搬送方向と逆方向の力になるため，連続用紙３にテンションが発生することになる。
【００１６】
また，本実施形態に係るテンション装置１によれば，一対のエアノズル１０の間を通過する連続用紙３には上下からエアが噴射され，このエアが連続用紙３の表裏面を流れることで，連続用紙３の表裏面にある異物は吹き飛ばされるため，連続用紙３の表裏面にある異物を除去できる。
【００１７】
１    テンション装置
１０  一対のエアノズル
１１  コンプレッサ
２    インクジェットプリンタ
３    連続用紙
【図１】
2015081158.tif 000003
【図２】
2015081158.tif 000004